(57)【要約】【課題】出窓状構造である独立型のゴミ分別収納庫屋根背面の室内側に空間を設けてテ−ブル台を取付け、そのテ−ブル台の下部に多連のゴミ分別投入口扉を取付ける。収納庫屋根の上方面に窓を連結するための連結無目材を取付ける。【解決手段】収納庫屋根２の屋根背面３に係止片６を設けその部分にテ−ブル台５を接続しテ−ブル台５の下部にゴミ分別多連用投入口扉８を接続する。そして、屋根２の上方に窓１０と連結するため、屋根背面３の部分に連段窓無目部材１２を取付けて空間７を設ける。【選択図】      図１
2004360435.tif 000002
【特許請求の範囲】
【請求項１】
建物の外壁面に取付けた出窓式ゴミ分別収納庫（１）において、収納庫屋根（２）の屋根背面（３）室内側に空間（７）を設けてテ−ブル台（５）を接続設置し、前記テ−ブル台（５）の下方部に左右側面支え材（１３）を取付けると共にゴミ分別投入口扉（８）を取付ける手段とするテ−ブル台付きゴミ分別収納庫。
【請求項２】
収納庫屋根（２）の上方向に窓（１０）を連結する連段窓無目部材（１２）を屋根背面（３）のカバ−状補強材として用いて連結手段とし前記連段窓無目部材（１２）とテ−ブル台（５）を一体化構造手段として前記屋根背面（３）に接続合体させた請求項１記載のテ−ブル台付きゴミ分別収納庫。
【請求項３】
連段窓無目部材（１２）とテ−ブル台（５）を一体化構造手段としてコ−ナ−面を傾斜状コ−ナ−面（１４）とすることを特徴とした請求項２記載のテ−ブル台付きゴミ分別収納庫。
【発明の詳細な説明】
【０００１】
【発明の属する技術分野】
本発明は、家庭内において使用するゴミ分別収納庫に関する。
【０００２】
【従来の技術】
従来のゴミ分別収納庫においては、出窓サッシの下部に分別収納庫を設けて出窓サッシと合体されているものや、或は出窓サッシと合体しない独立型収納庫等があった。
（例えば特許文献１参照）
【０００３】
【特許文献１】
実用新案登録第３０１２８４５号公報
【０００４】
【発明が解決しようとする課題】
従来のゴミ分別収納庫にあっては、上方部が出窓サッシとその下方部が分別収納庫とされて一体化構造であったため、製作上高価となり大型化で重く搬入や取付けに支障があった。そして出窓サッシタイプのみの限定される機種であるため、窓の組み合せが多様化できず不便で利用できなかった。
また上方部に出窓サッシのない単なる独立型収納庫もあったが、ゴミ分別投入口扉の屋根の背面室内側に物置台とするテ−ブル台を取付けて有効活用可能とする構造ではなかったため利用できず、しかもそれら収納庫の屋根の上方部に窓を取付ける場合にも連結手段がなく不便であった。
【０００５】
本発明は、分別収納庫の上方部の出窓サッシと完全に分離させて、収納庫屋根の背面となる室内側に空間を設けその下方に物を置くテ−ブル台を取付けてテ−ブル台の下部に多連ゴミ投入口扉を取付ける方法や、更に収納庫の屋根上方部に多様な窓を組み合せ接続可能とさせることを目的としている。
尚、従来から窓と窓との連結する連段窓無目材は既に周知であったが、本発明の分別収納庫の屋根部に用いられて利用されるという手段はなかったもので従来とは使用目的の主旨の相違があり、本発明の連段窓無目材は下記で示す通り屋根背面の裏カバ−状補強や室内側に空間を設けたり、テ−ブル台と一体化形状構造とした目的でもある。
【０００６】
【課題を解決するための手段】
上記目的を達成するために、本発明のテ−ブル台付きゴミ分別収納庫においては、建物の外壁面に取付けた出窓状収納庫の屋根の背面室内側に物を置けるスペ−ス空間を設けてその空間下部にテ−ブル台を接続設置し、テ−ブル台の下方部に左右の側面支え材を取付けると共にゴミ分別用多連投入口扉を組み合せる手段とする。また屋根背面の係止片にテ−ブル台を接続する方法が特徴としている。そして、上記収納庫屋根の上方に多様な窓を組み合せ可能にするため、屋根と窓を連結する連段窓無目部材を屋根背面のカバ−状補強材として用いて連結手段とする。また連段窓無目部材の製作形状方法は単独型かテ−ブル台と一体化構造手段とする方法等用途に合わせて製作すれば良い。そして連段窓無目部材とテ−ブル台を一体化した場合のコ−ナ−面を段角傾斜状かア−ル状とした傾斜状コ−ナ−面とする。
【０００７】
【発明の実施の形態】
発明の実施の形態を実施例にもとづき図面を参照して説明する。
図１において、分別ゴミ箱の出入口やゴミ箱置き台、パネル等によって囲まれた構造機構とする分別収納庫１の屋根２の屋根背面３取付け部を柱等のく体面４に接して取付け、屋根背面３の取付け部の下方端部にテ−ブル台５を取付ける係止片６を設けてテ−ブル台５を接続し取付ける。
【０００８】
そしてテ−ブル台５の下方部には、左右に側面支え材１３を取付けると共にゴミ分別用多連の投入口扉８を接続し、その投入口扉８の下部には流し台９等を設置する。
尚、流し台９とは限らず内装壁構造でも良く用途に合わせて利用し、その場合はテ−ブル台５を取付けなくとも用をなすものである。
左右の側面支え材１３はテ−ブル台５や投入口扉８の補強を兼ねると共に収納庫１の左右側面ふさぎカバ−材として利用する。
【０００９】
屋根２の上方面に多様スタイル窓１０を接続するには屋根２の上端部と窓１０の下枠１１の中間に連段窓無目部材１２で接続合体する。その場合の連段窓無目部材１２は、奥行の少ない見込み形状部材を利用し、スペ−ス空間７をできるだけ広く設けるようにする。連段窓無目部材１２は屋根２の屋根背面３の部分が弱いため、カバ−してテ−ブル台５と共に補強材を兼ねる形状としているものである。連段窓無目部材１２の製作は、アルミ形材等の一体成形やステンレス、スチ−ル等を曲げ加工によって作ることが可能で自在であり、連段窓無目部材１２とテ−ブル台５との接するＬ状コ−ナ−面を段角傾斜状の傾斜状コ−ナ−面１４として連結し、拭き掃除しやすい形状にする。
【００１０】
分別収納庫１の屋根２の構造は、アルミ出窓式ウレタン内蔵屋根構造やアルミ出窓式トップライト型のガラス面にパネル材でふさぎ屋根の構造とする方法等多種多様に考えられ用途に合わせて利用すれば良い。
【００１１】
図２で示す実施例は、その屋根２の部分をパネル材１５で囲った方法で、これらはアルミ出窓のトップライト型のガラス溝面にパネル材１５を装着した方法であり製作面においても容易で取付けや搬入、コスト面で利便性が良い。また、連段窓無目部材１２とテ−ブル台５をアルミ形材で一体化構造とした方法であるがこれらの方法は連段窓無目部材１２とテ−ブル台５を屋根背面３に容易に取付けて窓１０の下枠１１に連結することができ下枠１１と屋根背面３及びテ−ブル台５等の補強を兼ねることができる。
連段窓無目部材１２とテ−ブル台５を一体化アルミ押し出し形材で用いる場合、連段無目部材１２とテ−ブル台５のＬ状コ−ナ−面の角形状を段角傾斜状かア−ル状（図はア−ル状）とした傾斜状コ−ナ−面１４にすることによりコ−ナ−の拭き掃除が容易にできる。
尚、一体化アルミ押し出し形材方法は製作上大きくなるため、形材の中間で分離し接続する方法として一体化構造手段とすることは言うまでもなく用途に合わせる。
条件によっては曲げ物加工や木工加工等によっても可能で多種多様に用いて連段窓無目部材１２とテ−ブル台５を製作組み合せれば良い。
【００１２】
【発明の効果】
本発明は、以上説明したように構成されているので、以下に記載されるような効果を奏する。
【００１３】
屋根の背面室内側に空間を設けてテ−ブル台を取付けられているため、物を置くことが可能となり便利である。またテ−ブル台の下方部に側面支え材が取付けてあるためテ−ブル台と投入口扉の補強役目をはたす。
【００１４】
連段窓無目部材を用いることで容易に屋根と窓を接続組み合せが可能となるため、多種多様の窓が組み合せできる。
またスペ−ス空間を設けることが可能となるためテ−ブル台が取付けられ有効活用が表れる。そして連段窓無目部材は弱い屋根背面をカバ−しながらテ−ブル台と共に補強を保つことができる。
【００１５】
連段窓無目部材とテ−ブル台を一体化構造することによって屋根と屋根背面部分の補強やテ−ブル台補強も兼ね便利な連段窓無目部材となる。そして傾斜状コ−ナ−面とした形状にすることにより掃除が容易にできる。
【図面の簡単な説明】
【図１】分別収納庫と窓を連結して取付けた側面断面図である。
【図２】トップライト型屋根に連段窓無目部材とテ−ブル台をアルミ形材一体化構造とした側面断面図である。
【符号の説明】
１．  分別収納庫
２．  屋根
３．  屋根背面
４．  く体面
５．  テ−ブル台
６．  係止片
７．  空間
８．  投入口扉
９．  流し台
１０．窓
１１．下枠
１２．連段窓無目部材
１３．側面支え材
１４．傾斜状コ−ナ−面
１５．パネル材
【図１】
2004360435.tif 000003
【図２】
2004360435.tif 000004